(57)【要約】【課題】視聴環境を快適にするプロジェクタ、およびプロジェクタ冷却方法を提供する。【解決手段】プロジェクタ１は、音声情報を有するコンテンツ情報が入力される入力部１２段と、音声情報に基づいて再生開始時点から所定の再生時間後までにおける音量レベルを解析する音声解析回路１４と、解析された音量レベルに応じて再生開始時点から所定の再生時間後まで冷却ファン２３の駆動を制御するファン制御信号を生成するファン制御信号生成手段と、解析された前記音量レベルに応じて再生開始時点から所定の再生時間後まで光源ランプの出力を制御する光源制御信号を生成する光源制御信号生成手段と、ファン制御信号に基づいて、冷却ファン２３の駆動を制御するファン制御回路２２と、光源制御信号に基づいて、光源ランプの出力を制御する光量調整回路２４と、を具備した。【選択図】図１
2009053476.tif 000002
【特許請求の範囲】
【請求項１】
光源と、この光源からの光を変調させる光変調手段と、光変調手段にて変調された光を表示領域に投射させる投射手段と、前記光源および前記光変調手段を内部に格納するとともに、前記投射手段が内部から外面に臨んで設けられる筐体と、この筐体内部を冷却する冷却ファンと、を備えたプロジェクタであって、
音声情報を有するコンテンツ情報を認識するコンテンツ認識手段と、
前記音声情報に基づいて、再生開始時点から所定の再生時間後までにおける音量レベルを解析する音声解析手段と、
解析された前記音量レベルに応じて、再生開始時点から所定の再生時間後まで前記冷却ファンの駆動状態に関するファン駆動設定情報を設定するファン駆動設定手段と、
解析された前記音量レベルに応じて、再生開始時点から所定の再生時間後まで前記光源の出力状態に関する光源出力設定情報を設定する光源出力設定手段と、
前記ファン駆動設定情報に基づいて、前記再生開始時点から所定の再生時間後までの前記冷却ファンの駆動状態を制御するファン駆動制御手段と、
前記光源出力設定情報に基づいて、前記再生開始時点から所定の再生時間後までの前記光源の出力状態を制御する光源出力制御手段と、
を具備したことを特徴としたプロジェクタ。
【請求項２】
請求項１に記載のプロジェクタであって、
前記ファン駆動設定手段は、前記音量レベルが所定閾値以下である期間が所定時間以上連続することを認識すると、前記冷却ファンの回転数を徐々に上昇させるファン駆動設定情報を設定し、
前記光源出力設定手段は、前記音量レベルが所定閾値以下である期間が所定時間以上連続することを認識すると、前記光源の出力を低下させる光源出力設定情報を設定する
ことを特徴としたプロジェクタ。
【請求項３】
請求項１または請求項２に記載のプロジェクタであって、
前記コンテンツ情報は、映像に関する映像情報を備え、
前記映像情報に基づいて、再生開始時点から所定の再生時間後までにおける映像の明るさレベルを解析する映像解析手段を備え、
ファン駆動設定手段は、前記音量レベルおよび前記明るさレベルに応じて、前記ファン駆動設定情報を設定し、
前記光源出力設定手段は、前記音量レベルおよび前記明るさレベルに応じて、前記光源出力設定情報を設定する
ことを特徴としたプロジェクタ。
【請求項４】
請求項３に記載のプロジェクタであって、
前記ファン駆動設定手段は、前記明るさレベルが所定閾値以上である期間が所定時間以上連続することを認識すると、前記冷却ファンの回転数を徐々に上昇させるファン駆動設定情報を設定し、
前記光源出力設定手段は、前記明るさレベルが所定閾値以下である期間が所定時間以上連続することを認識すると、前記光源の出力を低下させる光源出力設定情報を設定する
ことを特徴としたプロジェクタ。
【請求項５】
請求項３または請求項４のプロジェクタであって、
前記冷却ファンの回転数とその際の騒音レベルとを対応させたファン騒音情報、およびこのファン騒音情報の騒音レベルで前記冷却ファンを回転させた際の前記冷却ファンの冷却能に関する冷却能情報を有するファン特性情報と、前記光源の出力状態に関する出力情報、およびこの出力情報の出力で前記光源を駆動した際の発熱量に関する熱情報を有する光源特性情報とを記憶する記憶手段を備え、
ファン駆動設定手段および前記光源出力設定手段は、前記音量レベル、前記明るさレベル、前記ファン特性情報、および前記光源特性情報に基づいて、前記ファン駆動設定情報および前記光源出力設定情報を設定する
ことを特徴としたプロジェクタ。
【請求項６】
請求項５に記載のプロジェクタであって、
前記音量レベルよりも小さい騒音レベルである前記ファン騒音情報を認識するとともに、前記ファン特性情報に基づいて、この認識したファン騒音情報に対応する前記冷却能情報を認識するファン特性認識手段と、
前記明るさレベルに対応する前記光源の出力に関する光源目標出力情報を認識するとともに、前記光源特性情報に基づいて、この光源目標出力情報と略同一出力状態の前記出力情報に対応する前記熱情報を認識する光源特性認識手段と、
前記再生開始時点から所定の再生開始時間後までの期間において、前記ファン特性情報の前記冷却能情報および前記光源特性情報の前記熱情報を比較し、前記冷却ファンで前記光源の発熱による前記筐体内部の上昇温度を冷却可能であるか否かを判断する比較判断手段と、を備え、
前記ファン駆動設定手段および前記光源出力設定手段は、前記比較判断手段にて判断状態に基づいて、前記再生開始時点から所定の再生開始時間後までの期間における前記冷却ファンの駆動状態および前記光源の出力状態のうち少なくともいずれか一方を変化させる
ことを特徴としたプロジェクタ。
【請求項７】
請求項６に記載のプロジェクタであって、
前記比較判断手段において、前記再生開始時点から所定の再生開始時間後までにおいて、前記冷却ファンで前記光源の発熱による前記筐体内部の上昇温度を冷却可能であると判断された場合、
前記ファン駆動設定手段は、前記音量レベルよりも小さい前記騒音レベルに対応する冷却ファンの回転数のうち最大値を、ファン駆動設定情報として設定し、
前記光源出力設定手段は、前記光源目標出力情報の出力状態を光源駆動設定情報として設定する
ことを特徴としたプロジェクタ。
【請求項８】
請求項６または請求項７に記載のプロジェクタであって、
前記比較判断手段において、前記再生開始時点から所定の再生開始時間後までにおいて、前記冷却ファンで前記光源の発熱による前記筐体内部の上昇温度を冷却不可能であると判断された場合、
前記ファン駆動設定手段は、前記音量レベルよりも小さい前記騒音レベルに対応する冷却ファンの最大回転数から、徐々にファンの回転数を上げるファン駆動設定情報を設定し、
前記光源出力設定手段は、明るさレベルに対応した前記光源目標出力情報の光源出力から、徐々に光源の出力状態を低下させる出力状態設定情報を設定する
ことを特徴としたプロジェクタ。
【請求項９】
請求項１ないし請求項８のいずれかに記載のプロジェクタであって、
前記コンテンツ情報は、当該コンテンツ情報を識別する識別情報を備え、
前記コンテンツ認識手段は、前記コンテンツ情報の前記識別情報を認識し、
当該プロジェクタは、前記コンテンツ情報に対する前記ファン駆動設定情報および前記光源出力設定情報を前記識別情報と関連付けて記録手段に記録する設定記録手段と、
前記コンテンツ認識手段により認識された前記識別情報に対応する前記ファン駆動設定情報および前記光源出力設定情報が前記記録手段に記録されているか否かを判断する記録判断手段と、を備え、
前記ファン駆動設定手段および前記光源出力設定手段は、前記記録判断手段により、前記記録手段に前記識別情報に対応する前記ファン駆動設定情報および前記光源出力設定情報が記録されていないと判断された場合に、前記ファン駆動設定情報および前記光源駆動設定情報を設定し、
前記ファン駆動制御手段および前記光源出力制御手段は、前記記録判断手段により、前記記録手段に前記識別情報に対応する前記ファン駆動設定情報および前記光源出力設定情報が記録されていると判断された場合に、前記記録手段に記録されている前記識別情報に対応した前記ファン駆動設定情報および前記光源出力設定情報に基づいて、前記冷却ファンの駆動状態および前記光源の出力状態を制御する
ことを特徴としたプロジェクタ。
【請求項１０】
光源と、この光源からの光を変調させる光変調手段と、光変調手段にて変調された光を表示領域に投射させる投射手段と、前記光源および前記光変調手段を内部に格納するとともに、前記投射手段が内部から外面に臨んで設けられる筐体と、この筐体内部を冷却する冷却ファンと、を備えたプロジェクタを冷却するプロジェクタ冷却方法であって、
音声情報を有するコンテンツ情報を認識し、
前記音声情報に基づいて、再生開始時点から所定の再生時間後までにおける音量レベルを解析し、
解析された前記音量レベルに応じて、再生開始時点から所定の再生時間後まで前記冷却ファンの駆動状態に関するファン駆動設定情報を設定し、
解析された前記音量レベルに応じて、再生開始時点から所定の再生時間後まで前記光源の出力状態に関する光源出力設定情報を設定し、
前記ファン駆動設定情報に基づいて、前記再生開始時点から所定の再生時間後までの前記冷却ファンの駆動状態を制御し、
前記光源出力設定情報に基づいて、前記再生開始時点から所定の再生時間後までの前記光源の出力状態を制御する
ことを特徴とするプロジェクタ冷却方法。
【発明の詳細な説明】
【技術分野】
【０００１】
本発明は、映像信号に応じた映像光を表示領域に投射するプロジェクタおよびプロジェクタ冷却方法に関する。
【背景技術】
【０００２】
従来、周囲の状態や映像信号に応じてファンの回転数を変化させるプロジェクタが知られている（例えば、特許文献１参照）。
【０００３】
この特許文献１に記載のプロジェクタは、シアタ内部の音量を把握するマイク、内部温度を検出する温度センサを備えている。そして、このプロジェクタでは、マイクにて把握される音量および内部温度に応じて、ファン駆動コントロール回路でファンの回転数を制御している。また、このプロジェクタは、映像信号の映像レベルに応じてランプのパワーをコントロールする。
【０００４】
【特許文献１】特開２００４−２３３４６３号公報
【発明の開示】
【発明が解決しようとする課題】
【０００５】
しかしながら、上記特許文献１のような従来のプロジェクタでは、例えば静かなシーンが連続して続く場合シアタ内部の音量に応じてファンの回転数を下げるが、内部温度がある温度に到達すると、危険回避のため突然ファンの回転数が大きくなり、ファン騒音も大きくなるという問題がある。また、映像信号の映像レベルに応じてランプパワーを切り替えるため、例えば映像が頻繁に変わるシーンなどにおいて、ランプパワーが頻繁に切り替わり、不自然な映像が表示されてしまうおそれがあるという問題がある。
【０００６】
本発明は、上記のような問題に鑑みて、視聴環境を快適にするプロジェクタ、およびプロジェクタ冷却方法を提供することを目的とする。
【課題を解決するための手段】
【０００７】
本発明のプロジェクタは、光源と、この光源からの光を変調させる光変調手段と、光変調手段にて変調された光を表示領域に投射させる投射手段と、前記光源および前記光変調手段を内部に格納するとともに、前記投射手段が内部から外面に臨んで設けられる筐体と、この筐体内部を冷却する冷却ファンと、を備えたプロジェクタであって、音声情報を有するコンテンツ情報を認識するコンテンツ認識手段と、前記音声情報に基づいて、再生開始時点から所定の再生時間後までにおける音量レベルを解析する音声解析手段と、解析された前記音量レベルに応じて、再生開始時点から所定の再生時間後まで前記冷却ファンの駆動状態に関するファン駆動設定情報を設定するファン駆動設定手段と、解析された前記音量レベルに応じて、再生開始時点から所定の再生時間後まで前記光源の出力状態に関する光源出力設定情報を設定する光源出力設定手段と、前記ファン駆動設定情報に基づいて、前記再生開始時点から所定の再生時間後までの前記冷却ファンの駆動状態を制御するファン駆動制御手段と、前記光源出力設定情報に基づいて、前記再生開始時点から所定の再生時間後までの前記光源の出力状態を制御する光源出力制御手段と、を具備したことを特徴とする。
【０００８】
この発明によれば、プロジェクタは、音声解析手段により、コンテンツ情報の再生開始時点から所定の再生時間後までの音声情報の音声レベルを解析する。そして、ファン駆動設定手段および光源出力設定手段は、それぞれ、この解析した音量レベルに応じて、再生開始時点から所定の再生時間後までの冷却ファンの駆動状態および光源の出力状態に関するファン駆動設定情報および光源出力設定情報を設定する。この後、ファン駆動制御手段および光源出力制御手段は、前記設定されたファン駆動設定情報および光源出力設定情報に基づいて、冷却ファンの駆動状態および光源の出力状態を制御する。ここで、再生開始時点とは、コンテンツ情報の先頭のみに限られず、コンテンツにおける任意の再生開始タイミングを指定することができる。
【０００９】
これにより、本発明のプロジェクタでは、再生開始時点から任意の所定再生時間後までの音量レベルの変化を先読みして、再生開始時点から所定再生時間後までの音量レベルの変化に応じた冷却ファンの駆動状態の変化、および光源の出力状態の変化を設定したファン駆動設定情報および光源出力設定情報を設定することができる。例えば、音量レベルが突然変化したり、長時間音量レベルの低い状態が続いたりした場合でも、これら音量レベルの変化に対応して、徐々に冷却ファンの回転数や光源出力を変化させるファン駆動設定情報および光源出力設定情報を設定することができる。よって、これらのファン駆動設定情報および光源出力設定情報に基づいて、冷却ファンおよび光源を駆動させることで、音量レベルの突然の変化などにより、ファンの回転数や映像輝度が突然変化することがなく、視聴者が不快とならないように冷却ファンの回転数を変えたり、映像輝度を変えたりすることが可能となり、視聴環境を最適にすることができる。
【００１０】
そして、本発明のプロジェクタでは、前記ファン駆動設定手段は、前記音量レベルが所定閾値以下である期間が所定時間以上連続することを認識すると、前記冷却ファンの回転数を徐々に上昇させるファン駆動設定情報を設定し、前記光源出力設定手段は、前記音量レベルが所定閾値以下である期間が所定時間以上連続することを認識すると、前記光源の出力を低下させる光源出力設定情報を設定することが好ましい。
この発明によれば、ファン駆動制御手段は、例えば静かなシーンが続くなど、音量レベルが、所定時間以上の間、所定の閾値以下となる場合、回転数を徐々に上昇させる。一方、光源出力制御手段は、例えば静かなシーンが続くなど、音量レベルが、所定時間以上の間、所定の閾値以下となる場合、光源の出力を徐々に低下させる。
これにより、静かなシーンが続く場合でも、徐々に冷却ファンの回転数を上昇させたり光源の出力を低下させたりすることで、プロジェクタの筐体内部の温度を低下させることができる。また、従来の構成のような筐体内部の温度が過度に上昇しすぎることによる冷却ファンの突然の回転がなく、徐々に冷却ファンの回転数および光源の出力を変化させているので、視聴者に不快感を与えることなく冷却ファンの駆動状態や光源の出力状態を制御することができる。
【００１１】
また、本発明のプロジェクタでは、前記コンテンツ情報は、映像に関する映像情報を備え、当該プロジェクタは、前記映像情報に基づいて、再生開始時点から所定の再生時間後までにおける映像の明るさレベルを解析する映像解析手段を備え、ファン駆動設定手段は、前記音量レベルおよび前記明るさレベルに応じて、前記ファン駆動設定情報を設定し、前記光源出力設定手段は、前記音量レベルおよび前記明るさレベルに応じて、前記光源出力設定情報を設定することが好ましい。ここで、明るさレベルとは、例えば映像情報の映像の輝度レベルなどが例示できる。
この発明によれば、プロジェクタは、音声レベルだけではなく、再生開始時点から所定の再生時間後までにおける映像情報の明るさレベルを解析し、これら音声レベルおよび明るさレベルに対応して冷却ファンおよび光源を駆動させている。
これにより、明るさレベルに応じた光源の出力状態を正確に把握することができ、この光源の駆動により発生する熱を冷却するための冷却ファンの駆動状態をより正確に設定することができる。したがって、上記したように、視聴者が不快とならないように冷却ファンの駆動状態および光源の出力状態をより正確に制御することができるとともに、筐体内部の温度上昇をより確実に防止することができる。
【００１２】
そして、本発明では、前記ファン駆動設定手段は、前記明るさレベルが所定閾値以上である期間が所定時間以上連続することを認識すると、前記冷却ファンの回転数を徐々に上昇させる制御をし、前記光源出力設定手段は、前記明るさレベルが所定閾値以下である期間が所定時間以上連続することを認識すると、前記光源の出力を低下させる制御をすることが好ましい。
この発明によれば、ファン駆動制御手段は、例えば明るい映像のシーンが続くなど、明るさレベルが、所定時間以上の間、所定の閾値以上となる場合、回転数を徐々に上昇させる。一方、光源出力制御手段は、例えば明るい映像のシーンが続くなど、明るさレベルが、所定時間以上の間、所定の閾値以上となる場合、光源の出力を徐々に低下させる。
これにより、明るい映像のシーンが続く場合でも、徐々に冷却ファンの回転数を上昇させたり光源の出力を低下させたりすることで、プロジェクタの筐体内部の温度を低下させることができる。また、従来の構成のような筐体内部の温度が過度に上昇しすぎることによる冷却ファンの突然の回転がなく、徐々に冷却ファンの回転数および光源の出力を変化させているので、視聴者に不快感を与えることなく冷却ファンの駆動状態や光源の出力状態を制御することができる。
【００１３】
また、本発明では、記冷却ファンの回転数とその際の騒音レベルとを対応させたファン騒音情報、およびこのファン騒音情報の騒音レベルで前記冷却ファンを回転させた際の前記冷却ファンの冷却能に関する冷却能情報を有するファン特性情報と、前記光源の出力状態に関する出力情報、およびこの出力情報の出力で前記光源を駆動した際の発熱量に関する熱情報を有する光源特性情報とを記憶する記憶手段を備え、ファン駆動設定手段および前記光源出力設定手段は、前記音量レベル、前記明るさレベル、前記ファン特性情報、および前記光源特性情報に基づいて、前記ファン駆動設定情報および前記光源出力設定情報を設定することが好ましい。
【００１４】
この発明によれば、記憶手段に、冷却ファンの回転数に対応する騒音レベルが記憶されるファン騒音情報、およびこのファン騒音情報の騒音レベルで冷却ファンを回転させた場合の冷却ファンの冷却能に関する冷却能情報を有するファン特性情報が記憶されている。また、記憶手段には、光源の出力に関する出力情報、およびこの出力情報の出力で光源を駆動した際に発生する発熱量に関する熱情報を有する光源特性情報が記憶されている。そして、ファン駆動設定手段および前記光源出力設定手段は、これらのファン特性情報および光源出力特性情報と、解析された音量レベルおよび明るさレベルとに基づき、ファン駆動設定情報および前記光源出力設定情報を設定している。
これにより、記憶手段に予め記憶されているファン特性情報および光源特性情報に基づいて、冷却ファンの特性および光源の特性に応じた制御が可能となる。したがって、音量レベルおよび明るさレベルに対応した冷却ファンの駆動状態および光源の出力状態をより正確に設定することができ、プロジェクタの冷却効率をより向上させることができる。
【００１５】
そして、本発明のプロジェクタは、前記音量レベルよりも小さい騒音レベルである前記ファン騒音情報を認識するとともに、前記ファン特性情報に基づいて、この認識したファン騒音情報に対応する前記冷却能情報を認識するファン特性認識手段と、前記明るさレベルに対応する前記光源の出力に関する光源目標出力情報を認識するとともに、前記光源特性情報に基づいて、この光源目標出力情報と略同一出力状態の前記出力情報に対応する前記熱情報を認識する光源特性認識手段と、前記再生開始時点から所定の再生開始時間後までの期間において、前記ファン特性情報の前記冷却能情報および前記光源特性情報の前記熱情報を比較し、前記冷却ファンで前記光源の発熱による前記筐体内部の上昇温度を冷却可能であるか否かを判断する比較判断手段と、を備え、前記ファン駆動設定手段および前記光源出力設定手段は、前記比較判断手段にて判断状態に基づいて、前記再生開始時点から所定の再生開始時間後までの期間における前記冷却ファンの駆動状態および前記光源の出力状態のうち少なくともいずれか一方を変化させることが好ましい。
この発明によれば、ファン特性情報および光源特性情報に基づいて、冷却ファンの冷却能と光源の発熱量とを比較する。したがって、光源により発生した熱を冷却可能な冷却能となるように冷却ファンの駆動状態を設定する、または冷却ファンにて冷却可能な発熱量となるように光源の出力状態を設定することで、冷却ファンにより良好にプロジェクタを冷却することができるとともに、光源の出力低下を最低限に抑えることができ、画質の低下を防止することができる。
【００１６】
また、本発明のプロジェクタは、前記比較判断手段において、前記再生開始時点から所定の再生開始時間後までにおいて、前記冷却ファンで前記光源の発熱による前記筐体内部の上昇温度を冷却可能であると判断された場合、前記ファン駆動設定手段は、前記音量レベルよりも小さい前記騒音レベルに対応する冷却ファンの回転数のうち最大値を、ファン駆動設定情報として設定し、前記光源出力設定手段は、前記光源目標出力情報の出力状態を光源駆動設定情報として設定することが好ましい。
この発明によれば、例えば、大きな音量が出力されるシーンなどの音量レベルが比較的大きく冷却ファンの回転数を大きくすることができる場合や、映像の明るさが暗いシーンなどの明るさレベルが比較的小さく光源の発熱量が小さい場合などにおいて、比較判断手段は、冷却ファンの冷却能が光源の発熱量よりも大きいと判断する。この場合、ファン駆動設定手段は、音量レベルよりも小さい騒音レベルで、かつ冷却ファンの回転数が最大となる設定を、ファン駆動設定情報として設定する。また、光源出力設定手段は、光源目標出力情報の出力を光源駆動設定情報として設定する。
これにより、大きな音量が出力されるシーンや映像の明るさが暗いシーンなどにおいて、冷却ファンをコンテンツの音量レベル以下となる騒音レベルで、最も回転数が最大となるように駆動させることができ、視聴者に不快感を与えることなく、良好にプロジェクタの筐体内部を冷却することができる。また、この時、光源は解析された明るさレベルに対応した出力で駆動されるため、映像情報の輝度を忠実に再現することができ、良好な映像を表示することができる。
【００１７】
さらに、本発明のプロジェクタは、前記比較判断手段において、前記再生開始時点から所定の再生開始時間後までにおいて、前記冷却ファンで前記光源の発熱による前記筐体内部の上昇温度を冷却不可能であると判断された場合、前記ファン駆動設定手段は、前記音量レベルよりも小さい前記騒音レベルに対応する冷却ファンの最大回転数から、徐々にファンの回転数を上げるファン駆動設定情報を設定し、前記光源出力設定手段は、明るさレベルに対応した前記光源目標出力情報の光源出力から、徐々に光源の出力状態を低下させる出力状態設定情報を設定することが好ましい。
【００１８】
この発明によれば、例えば、音量レベルが小さいシーンが長時間続く場合や、高輝度のシーンが長時間続く場合、音量レベルが小さく、かつ高輝度のシーンが長時間続く場合などにおいて、比較判断手段は、冷却ファンの冷却能が光源の発熱量よりも小さいと判断する。この場合、ファン駆動設定手段は、音量レベルよりも小さい騒音レベルである冷却ファンの最大回転数から、徐々に冷却ファンの回転数を上げるように、ファン駆動設定情報を設定する。また、光源出力設定手段は、光源目標出力情報に対応する出力状態から、徐々に光源の出力を下げる光源出力設定情報を設定する。
【００１９】
これにより、例えば長時間音量レベルが小さいシーンが続く場合などにおいて、再生開始時点では、冷却ファンの騒音レベルが音量レベルよりも小さく設定され、光源の出力状態が光源目標出力情報に対応する出力に設定されている。したがって、プロジェクタは、冷却ファンの騒音により視聴者に不快感を与えることなく、かつ映像情報に即した映像を表示させることができる。また、冷却ファンの回転数の上昇および光源の出力の低下により、音量レベルよりも冷却ファンの騒音レベルの方が増大し、映像の明るさも暗くなるが、徐々に冷却ファンの回転数を上げ、徐々に徐々に光源の出力を下げることで、冷却ファンの騒音や表示される映像の明るさの突然の変化を防止できる。したがって、視聴者に不快感を与えることなく、かつ、適切にプロジェクタの筐体内部を冷却することができる。
【００２０】
そして、本発明のプロジェクタでは、前記コンテンツ情報は、当該コンテンツ情報を識別する識別情報を備え、前記コンテンツ認識手段は、前記コンテンツ情報の前記識別情報を認識し、当該プロジェクタは、前記コンテンツ情報に対する前記ファン駆動設定情報および前記光源出力設定情報を前記識別情報と関連付けて記録手段に記録する設定記録手段と、前記コンテンツ認識手段により認識された前記識別情報に対応する前記ファン駆動設定情報および前記光源出力設定情報が前記記録手段に記録されているか否かを判断する記録判断手段と、を備え、前記ファン駆動設定手段および前記光源出力設定手段は、前記記録判断手段により、前記記録手段に前記識別情報に対応する前記ファン駆動設定情報および前記光源出力設定情報が記録されていないと判断された場合に、前記ファン駆動設定情報および前記光源駆動設定情報を設定し、前記ファン駆動制御手段および前記光源出力制御手段は、前記記録判断手段により、前記記録手段に前記識別情報に対応する前記ファン駆動設定情報および前記光源出力設定情報が記録されていると判断された場合に、前記記録手段に記録されている前記識別情報に対応した前記ファン駆動設定情報および前記光源出力設定情報に基づいて、前記冷却ファンの駆動状態および前記光源の出力状態を制御することが好ましい。
この発明によれば、プロジェクタは、ファン駆動設定手段および光源出力設定手段により設定されたファン駆動設定情報および光源出力設定情報をコンテンツ情報の識別情報に関連付けて記録手段に記録する。
また、コンテンツ認識手段は、新たにコンテンツ情報を認識すると、このコンテンツ情報の識別情報を認識する。そして、記録判断手段は、この認識した識別情報および識別情報に関連付けられたファン駆動設定情報と光源出力設定情報とが記録手段に記録されているか否かを判断する。ここで、記録判断手段により識別情報に対応するファン駆動設定情報および光源出力設定情報が記録されていると判断された場合、ファン駆動制御手段および光源出力制御手段は、この記録手段に記録されたファン駆動設定情報および光源出力設定情報に基づいて、冷却ファンおよび光源を制御する。また、記録判断手段により、識別情報に対応するファン駆動設定情報および光源出力設定情報が記録されていないと判断された場合、ファン駆動設定手段および光源出力設定手段によりファン駆動設定情報および光源出力設定情報が設定され、ファン駆動制御手段および光源出力制御手段は、これらの設定されたファン駆動設定情報および光源出力設定情報に基づいて、冷却ファンおよび光源を制御する。
これにより、例えば、シアタなどで同じコンテンツ情報を複数回再生させる場合に、毎回ファン駆動設定情報および光源出力設定情報を設定する必要がなく、記録手段に記録されたファン駆動設定情報および光源出力設定情報を用いることができる。したがって、２回目以降のコンテンツ情報の再生時において、再生時の処理を簡単にすることができ、省電力化をも促進できる。
【００２１】
そして、本発明のプロジェクタの内部冷却方法は、光源と、この光源からの光を変調させる光変調手段と、光変調手段にて変調された光を表示領域に投射させる投射手段と、前記光源および前記光変調手段を内部に格納するとともに、前記投射手段が内部から外面に臨んで設けられる筐体と、この筐体内部を冷却する冷却ファンと、を備えたプロジェクタにおける内部冷却方法であって、音声情報を有するコンテンツ情報を認識し、前記音声情報に基づいて、再生開始時点から所定の再生時間後までにおける音量レベルを解析し、解析された前記音量レベルに応じて再生開始時点から所定の再生時間後まで前記冷却ファンの駆動状態に関するファン駆動設定情報を設定し、解析された前記音量レベルに応じて、再生開始時点から所定の再生時間後まで前記光源の出力状態に関する光源出力設定情報を設定し、前記ファン駆動設定情報に基づいて、前記再生開始時点から所定の再生時間後までの前記冷却ファンの駆動状態を制御し、前記光源出力設定情報に基づいて、前記再生開始時点から所定の再生時間後までの前記光源の出力状態を制御することを特徴とする。
【００２２】
この発明によれば、上記したように、再生開始時点から所定の再生時間後までのコンテンツ情報の再生開始時点から所定の再生時間後までの音声情報の音声レベルを解析し、この音量レベルに応じて、再生開始時点から所定の再生時間後までのファン駆動設定情報および光源出力設定情報を設定する。そして、これらのファン駆動設定情報および光源出力設定情報に基づいて、冷却ファンおよび光源を駆動させる。
これにより、音量レベルの突然の変化などにより、ファンの回転数や映像輝度が突然変化することがなく、視聴者が不快とならないように冷却ファンの回転数を変えたり、映像輝度を変えたりすることが可能となり、視聴環境を最適にすることができる。
【発明を実施するための最良の形態】
【００２３】
以下、本発明の一実施の形態に係るプロジェクタを図面に基づいて説明する。
図１は、本発明の一実施の形態に係るプロジェクタの構成を示すブロック図である。
図２は、前記実施の形態のプロジェクタを構成する光学エンジンの概略構成を示すブロック図である。
図３は、前記プロジェクタを構成する記憶部に記憶されるファン特性情報を示す図である。
図４は、前記プロジェクタを構成する記憶部に記憶される光源特性情報を示す図である。
図５は、前記プロジェクタを構成する記憶部に記憶される駆動設定情報を示す図である。
図６は、前記実施の形態のプロジェクタを構成する制御部の概略構成を示すブロック図である。
【００２４】
〔プロジェクタの構成〕
図１において、１はプロジェクタであり、このプロジェクタ１は、筐体としての外装ケース１１と、入力部１２と、コンテンツ認識手段としても機能するデコーダ１３と、音声解析手段としての音声解析回路１４と、映像解析手段としての映像解析回路１５と、制御部１６と、音声入力回路１７と、音声再生用アンプ回路１８と、映像入力回路１９と、映像再生回路２０と、光学エンジン２１と、ファン駆動制御手段としてのファン制御回路２２と、冷却ファン２３と、光源出力制御手段としての光量調整回路２４と、記憶手段としての記憶部２５とを備えている。このプロジェクタ１は、入力部１２から入力されるコンテンツ情報に所定の再生処理を実施し、コンテンツ情報に含まれる映像情報の映像をスクリーンなどの投射面４に投射し、コンテンツ情報に含まれる音声情報の音声をスピーカ３に出力する装置である。
【００２５】
入力部１２は、例えばビデオ装置などの録画再生装置、パーソナルコンピュータなどの外部機器に接続可能な入力端子部を備え、これらの外部機器からコンテンツ情報を取得する。なお、入力部１２としては、外部機器からコンテンツ情報を取得するものに限らず、例えばプロジェクタ１の内部にハードディスクやＤＶＤ（Digital Versatile Disc）、ＣＤ（Compact Disk）などの記録媒体を再生可能なドライブ装置が設けられ、これらのドライブ装置からコンテンツ情報を取得するものであってもよい。さらに、入力部１２は、インターネット回線などの通信回線を接続する端子や、放送波を受信可能なアンテナおよび受信した放送波をデコードするチューナを備え、これらの通信回線やアンテナからコンテンツ情報を取得するものであってもよい。
そして、この入力部１２は、デコーダ１３に接続され、取得したコンテンツ情報をデコータ１３に出力する。
【００２６】
デコーダ１３は、入力部１２から入力されたコンテンツ情報を認識するとともに、認識したコンテンツ情報の音声情報および映像情報をデコードする。また、デコーダ１３は、音声解析回路１４および映像解析回路１５に接続され、デコードしたコンテンツ情報をこれらの音声解析回路１４および映像解析回路１５に出力する。この時、デコーダ１３は、再生開始時点から所定の再生時間（以後、先読み時間と称す）、例えば再生開始時点から１０秒間は、通常の再生時間に比べて所定倍の速さ、例えば２倍速〜１０倍速の速さでコンテンツ情報をデコードして音声解析回路１４および映像解析回路１５にデータ転送する。
【００２７】
ここで、コンテンツ情報は、例えばＭＰＥＧ（Motion Picture Experts Group）形式、ＡＶＩ（Audio Visual Interleaved）形式などのデータ形式にて構成される動画データである。このコンテンツ情報は、コンテンツを識別するためのコンテンツ識別情報、音声に関する音声情報、映像に関する映像情報、および音声および映像を再生するタイミングに関するタイムスタンプ情報などを備えている。
【００２８】
音声解析回路１４は、入力部１２および制御部１６に接続されている。そして、音声解析回路１４は、入力部１２から入力されるコンテンツ情報から音声情報を抽出し、この音声情報により再生される音声の単位時間当たりの音量レベルを解析する。この単位時間としては、例えば１秒〜２秒が例示でき、１秒〜２秒の間の平均音量レベルを解析する。この時、音声解析回路１４は、例えば図示しない音量つまみなどにより設定される音量の大きさを認識し、入力された音声情報が実際にスピーカ３から出力された際の音量に関する音量レベルを解析する。
そして、音声解析回路１４は、解析した音量レベルに関する音量レベル情報および入力部１２から入力される音声情報を、コンテンツ情報に含まれるタイムスタンプ情報とともに制御部１６に出力する。
【００２９】
映像解析回路１５は、入力部１２および制御部１６に接続されている。そして、映像解析回路１５は、入力部１２から入力されるコンテンツ情報から映像情報を抽出し、単位時間当たりの明るさレベルとしての+輝度レベルを解析する。この単位時間としては、上記音声解析回路１４における音量レベル解析の単位時間と同様の時間、すなわち１秒〜２秒が例示でき、この１〜２秒間の平均輝度レベルを解析する。
そして、映像解析回路１５は、解析した輝度レベルを目標輝度レベルとして、この目標輝度レベルに関する目標輝度レベル情報を制御部１６に出力する。また、映像解析回路１５は、目標輝度レベル情報とともに、入力部１２から入力される映像情報、コンテンツ情報に含まれるタイムスタンプ情報を制御部１６に出力する。
【００３０】
制御部１６は、プロジェクタ１の全体の動作を制御する。そして、制御部１６は、音声解析回路１４、映像解析回路１５、音声入力回路１７、映像入力回路１９、ファン制御回路２２、および光量調整回路２４に接続されている。この制御部１６は、音声解析回路１４から音量レベル情報、音声情報、およびタイムスタンプ情報が入力され、映像解析回路１５から輝度レベル情報、映像情報、およびタイムスタンプ情報が入力される。そして、制御部１６は、入力されたタイムスタンプ情報に基づいて、音声情報および映像情報を同期させ、それぞれ音声入力回路１７および映像入力回路１９に出力する。また、制御部１６は、冷却ファン２３の駆動状態に関するファン駆動設定情報としてのファン制御信号、および光源ランプの出力状態に関する光源出力設定情報としての光源制御信号を、それぞれファン制御回路２２および光量調整回路２４に出力する。なお、制御部１６の詳細な説明は後述する。
【００３１】
音声入力回路１７は、制御部１６から入力された音声情報を音声再生用アンプ回路１８に出力する。
【００３２】
音声再生用アンプ回路１８は、例えばスピーカ３に接続可能な出力端子を備えている。そして、音声再生用アンプ回路１８は、音声入力回路１７から入力された音声情報を増幅させ、出力端子からスピーカ３に出力する。
【００３３】
映像入力回路１９は、制御部１６から入力された映像情報を映像再生回路２０に出力する。
【００３４】
映像再生回路２０は、入力された映像情報に基づいて、光学エンジン２１を適宜制御し、光学エンジン２１から映像情報に応じた画像光を投射させる。具体的には、映像再生回路２０は、映像情報に応じて、光学エンジン２１の液晶パネルに印加する電圧を制御する。
【００３５】
光学エンジン２１は、図２に示すように、光源としての光源ランプ２１Ａと、光変調手段としての液晶パネル２１Ｂと、投射手段としての投射レンズ２１Ｃと、を備えている。
光源ランプ２１Ａは、後述の光量調整回路２４により制御されて、光源制御信号に応じた所定の出力で光束を射出する。この光源ランプ２１Ａとしては、超高圧水銀ランプ等の放電型光源ランプや、ＬＥＤ（Light Emitting Diode）等の固体光源を採用することができる。
液晶パネル２１Ｂは、映像再生回路２０の制御により、光源ランプ２１Ａから射出された光束を映像情報に応じて変調して光学像を形成する。なお、光変調手段として、液晶パネル２１Ｂを例示したが、例えばマイクロミラーを用いたデバイス等を採用することも可能である。
投射レンズ２１Ｃは、液晶パネル２１Ｂにより変調されて形成された光学像に係る光束（画像光）を投射面４上に拡大投射する。
【００３６】
ファン制御回路２２は、制御部１６および冷却ファン２３に接続されている。このファン制御回路２２は、制御部１６から入力されるファン制御信号に基づいて、冷却ファン２３に印加する電圧を制御し、冷却ファン２３の回転数を変化させる。
【００３７】
冷却ファン２３は、例えば後述の光源ランプ２１Ａに対向する位置に設けられている。そして、冷却ファン２３は、ファン制御回路２２により駆動状態が制御されて、ファン制御信号に対応する回転数で回転し、光源ランプ２１Ａを冷却する。
なお、本実施の形態では、光源ランプ２１Ａを冷却するファンを例示するが、これに限定されず、冷却ファン２３は、例えば外装ケース１１の内部と外部を連通する図示しない連通孔に設けられているものであってもよく、外装ケース１１の内部の各種回路の近傍に設けられている構成としてもよく、光学エンジン２１のその他の光学部品に対向して設けられているのもであってもよい。さらには、単一の冷却ファン２３に限られず、複数の冷却ファンが設けられているものであってもよい。
【００３８】
光量調整回路２４は、制御部１６および光学エンジン２１の光源ランプ２１Ａに接続されている。この光量調整回路２４は、制御部１６から入力される光源制御信号に基づいて、光源ランプ２１Ａに印加する電圧を制御し、光源ランプ２１Ａの出力を変化させる。
【００３９】
記憶部２５は、プロジェクタ１全体を動作制御するＯＳ（Operating System）上に展開される各種プログラムや、これら各種プログラムで用いられる図３ないし図５に示すような各種データが記憶されている。さらに、記憶部２５は、制御部１６が演算の際に処理する信号を一時的に記憶可能に構成されている。すなわち、記憶部２５は、メモリとしても機能する。
そして、この記憶部２５は、図３に示すようなファン特性テーブル６０を記憶するファン特性記憶領域２５１、図４に示すような光源特性テーブル７０を記憶する光源特性記憶領域２５２、図５に示すような駆動設定テーブル８０を記録する設定記憶領域などを備えて構成されている。
【００４０】
ファン特性記憶領域２５１に記憶されるファン特性テーブル６０は、図３に示すように、ファン特性ＩＤ情報６２、回転数情報６３、ファン騒音情報としての騒音レベル情報６４、および冷却能情報６５が関連付けられて構築されるファン特性情報６１を１つレコードデータとして、このファン特性情報６１を複数記録するテーブルデータ構造に構築されている。
ファン特性ＩＤ情報６２は、ファン特性情報６１を識別する識別情報であり、各ファン特性情報６１によりそれぞれ異なるＩＤ情報が記録されている。
回転数情報６３は、冷却ファン２３の回転数に関する情報である。この回転数情報６３には、ファン特性ＩＤ情報６２により特定されるファン特性情報６１に係る冷却ファン２３の回転数が記録されている。
騒音レベル情報６４は、ファン特性ＩＤ情報６２により特定されるファン特性情報６１の回転数情報６３の回転数で冷却ファン２３を回転駆動させた際に、発生する騒音レベルに関する情報が記録されている。
冷却能情報６５は、ファン特性ＩＤ情報６２により特定されるファン特性情報６１の回転数情報６３の回転数で冷却ファン２３を回転駆動させた際に、この冷却ファン２３が冷却可能な温度が記録されている。
【００４１】
光源特性記憶領域２５２に記憶される光源特性テーブル７０は、図４に示すように、光源特性ＩＤ情報７２、出力情報７３、輝度レベル情報７４、および熱情報としての昇温情報７５が関連付けられて構築される光源特性情報７１を、複数記録するテーブルデータ構造に構築されている。
光源特性ＩＤ情報７２は、光源特性情報７１を識別する識別情報であり、各光源特性情報７１によりそれぞれ異なるＩＤ情報が記録されている。
出力情報７３は、光源ランプ２１Ａの出力に関する情報である。この出力情報７３には、光源特性ＩＤ情報７２により特定される光源特性情報７１に係る光源ランプ２１Ａの出力が記録されている。
輝度レベル情報７４は、光源特性ＩＤ情報７２により特定される光源特性情報７１の出力情報７３の出力で光源ランプ２１Ａから光束を射出させた際に、投射面４にて表示される映像の輝度レベルに関する情報が記録されている。
昇温情報７５は、光源特性ＩＤ情報７２により特定される光源特性情報７１の出力情報７３の出力で光源ランプ２１Ａから光束を射出させた際に、この光源ランプ２１Ａから発生する熱による外装ケース１１内部の上昇温度が記録されている。
【００４２】
設定記憶領域２５３に記憶される駆動設定テーブル８０には、図５に示すように、コンテンツ識別情報８２、ファン制御情報８３、および光源制御情報８４が関連付けられて構築される駆動設定情報８１を、複数レコードデータとして記録するテーブルデータ構造に構築されている。この駆動設定情報８１は、後述する制御部１６の制御により、コンテンツ情報毎に記録される情報である。
コンテンツ識別情報８２は、コンテンツ情報を識別する情報であり、デコーダ１３によりデコードされるコンテンツ情報のコンテンツ識別情報に対応する情報である。
ファン制御情報８３は、コンテンツ識別情報により特定されるコンテンツ情報に対する全再生期間における冷却ファン２３の回転数の変化状態、またはこの変化状態で冷却ファン２３を駆動させるためのファン制御信号が記録されている。
光源制御情報８４は、コンテンツ識別情報により特定されるコンテンツ情報に対する全再生期間における光源ランプ２１Ａの出力の変化状態、またはこの変化状態で光源ランプ２１Ａを出力するための光源制御信号が記録されている。
【００４３】
（制御部の構成）
次に、制御部１６の詳細について説明する。
制御部１６は、図６に示すように、ファン特性認識手段１６１と、光源特性認識手段１６２と、比較判断手段１６３と、ファン駆動設定手段としてのファン制御信号生成手段１６４と、光源出力設定手段としての光源制御信号生成手段１６５と、再生制御手段１６６と、設定記録手段１６７と、などを備えている。
【００４４】
ファン特性認識手段１６１は、音声解析回路１４から入力される音量レベル情報を認識する。そして、ファン特性認識手段１６１は、記憶部２５に記憶されるファン特性テーブル６０から、音量レベル情報に基づく音量レベルよりも小さい騒音レベルが記録された騒音レベル情報６４が記録されたファン特性情報６１を認識する。さらに、ファン特性認識手段１６１は、これらの認識したファン特性情報６１から回転数情報６３が最も大きいファン特性情報６１を選択する。そして、ファン特性認識手段１６１は、この選択したファン特性情報６１を理想ファン駆動情報として例えば記憶部２５に記憶する。
【００４５】
光源特性認識手段１６２は、映像解析回路１５から入力される目標輝度レベル情報を認識する。そして、光源特性認識手段１６２は、記憶部２５に記憶される光源特性テーブル７０から、目標輝度レベル情報に対応する輝度レベルが記録された輝度レベル情報７４、およびこの輝度レベル情報を有する光源特性情報７１を認識する。また、光源特性認識手段１６２は、この目標輝度レベル情報に対応する光源特性情報７１を理想光源出力情報として例えば記憶部２５に記憶する。
【００４６】
比較判断手段１６３は、再生開始時点から所定の再生時間の先読み時間における前記理想ファン駆動情報および前記理想光源出力情報を比較する。
具体的には、比較判断手段１６３は、理想ファン駆動情報における冷却能情報６５と、理想光源出力情報における昇温情報７５とを比較し、冷却能情報６５に記録される冷却可能温度と昇温情報７５に記録される上昇温度との大小関係を判断する。
【００４７】
ファン制御信号生成手段１６４は、比較判断手段１６３の判断に応じて、冷却ファン２３の回転数を制御するファン制御信号を生成し、ファン制御回路２２に出力する。
具体的には、ファン制御信号生成手段１６４は、比較判断手段１６３により、先読み時間内の全期間において、冷却能情報６５に記録される冷却可能温度が昇温情報７５に記録される上昇温度よりも大きいと判断された場合、または、冷却能情報６５に記録される冷却可能温度が昇温情報７５に記録される上昇温度よりも小さいが、その期間が所定時間以下であると判断された場合、以下の処理を実施する。すなわち、ファン制御信号生成手段１６４は、冷却ファン２３の回転数を、理想ファン駆動情報の回転数情報に記録された回転数に設定する旨のファン制御信号を生成する。ここで所定時間とは、外装ケース１１内の温度が、プロジェクタ１の光学エンジン２１や各回路、制御部１６の動作に影響を与える限界温度に達するまでの時間のことを指す。
【００４８】
一方、ファン制御信号生成手段１６４は、比較判断手段１６３により、先読み時間内において、冷却能情報６５に記録される冷却可能温度が昇温情報７５に記録される上昇温度よりも小さい期間が所定時間以上連続すると判断された場合、以下の処理を実施する。すなわち、ファン制御信号生成手段１６４は、冷却ファン２３の回転数を、理想ファン駆動情報の回転数情報に記録された回転数から徐々に回転数を上昇させる旨のファン制御信号を生成する。この時、冷却ファン２３の回転数の上昇により、冷却ファン２３の冷却可能温度が光源ランプ２１Ａによる外装ケース１１内部の上昇温度よりも大きくなる時点で、冷却ファン２３の回転数を一定に維持する旨のファン制御信号を出力してもよい。
【００４９】
光源制御信号生成手段１６５は、比較判断手段１６３の判断に応じて、光源ランプ２１Ａの出力を制御する光源制御信号を生成し、光量調整回路２４に出力する。
具体的には、光源制御信号生成手段１６５は、比較判断手段１６３により、先読み時間内の全期間において、冷却能情報６５に記録される冷却可能温度が昇温情報７５に記録される上昇温度よりも大きいと判断された場合、または、冷却能情報６５に記録される冷却可能温度が昇温情報７５に記録される上昇温度よりも小さいが、その期間が所定時間以下であると判断された場合、以下の処理を実施する。すなわち、光源制御信号生成手段１６５は、光源ランプ２１Ａの回転数を、理想光源出力情報の出力情報に記録された出力に設定する旨の光源制御信号を生成する。
一方、光源制御信号生成手段１６５は、比較判断手段１６３により、先読み時間内において、冷却能情報６５に記録される冷却可能温度が昇温情報７５に記録される上昇温度よりも小さい期間が所定時間以上連続すると判断された場合、以下の処理を実施する。すなわち、光源制御信号生成手段１６５は、光源ランプ２１Ａの出力を、理想光源出力情報の出力情報に記録された出力から徐々に低下させる旨の光源制御信号を生成する。この時、光源ランプ２１Ａの出力の低下により、冷却ファン２３の冷却可能温度が光源ランプ２１Ａによる外装ケース１１内部の上昇温度よりも大きくなる時点で、光源ランプ２１Ａの出力を一定に維持する旨の光源制御信号を出力してもよい。
【００５０】
再生制御手段１６６は、図示しない操作手段からコンテンツ情報を再生する旨の操作信号の入力を認識し、入力部１２にて取得したコンテンツ情報を再生させる制御をする。
具体的には、再生制御手段１６６は、音声解析回路１４から入力された音声情報を音声入力回路１７に、映像解析回路１５から入力された映像情報を映像入力回路１９に、それぞれ出力する。また、再生制御手段１６６は、タイムスタンプ情報に基づいて、上記音声情報および映像情報と同期させて、ファン駆動制御信号および映像制御信号をそれぞれファン制御回路２２および光量調整回路２４に出力させる。
【００５１】
設定記録手段１６７は、駆動設定情報８１を生成し、記憶部２５の設定記憶領域２５３に記憶される駆動設定テーブル８０の１レコードとして、この生成した駆動設定情報８１を記録する。
具体的には、設定記録手段１６７は、コンテンツ情報の全再生期間におけるファン制御信号を記録したファン制御情報８２と、コンテンツ情報の全再生期間における光源制御信号を記録した光源制御情報８３とを生成する。また、設定記録手段１６７は、これら生成したファン制御情報８２、光源制御情報８３、およびデコーダ１３にて認識したコンテンツ情報のコンテンツ識別情報８１を関連付けた駆動設定情報８１を生成する。そして、設定記録手段１６７は、生成した駆動設定情報８１を駆動設定テーブル８０に記録する。
【００５２】
〔プロジェクタの動作〕
次に、上記のようなプロジェクタ１の動作について説明する。
図７は、本実施の形態のプロジェクタのコンテンツ再生動作における冷却ファンおよび光源ランプの駆動処理のフローチャートである。
【００５３】
図７において、プロジェクタ１は、利用者による図示しない操作手段の操作によりコンテンツ情報を再生する旨の操作信号を認識すると、入力部１２に入力されたコンテンツ情報をデコーダ１３に出力する（ステップＳ１０１）。そして、デコーダ１３は、入力されたコンテンツ情報を認識し、このコンテンツ情報の音声情報および映像情報をそれぞれデコード処理する。また、デコーダ１３はデコードした音声情報を音声解析回路１４に、映像情報を映像解析回路１５に出力する。この時、上記したように、再生開始時点では、先読み時間分のコンテンツ情報を、所定倍速でデコード処理してデータ送信する。
【００５４】
そして、プロジェクタ１の音声解析回路１４は、コンテンツ情報の音声情報が入力されると、この音声情報から音量レベルを解析する（ステップＳ１０２）。そして、音声解析回路１４は、解析した音量レベルを音量レベル情報として、音声情報およびタイムスタンプ情報とともに制御部１６に出力する。
【００５５】
また、ステップＳ１０２と同時に、映像解析回路１５は、コンテンツ情報の映像情報から輝度レベルを解析する。そして、映像解析回路１５は、解析した輝度レベルを目標輝度レベル情報として、映像情報およびタイムスタンプ情報とともに制御部１６に出力する（ステップＳ１０３）。
【００５６】
この後、プロジェクタ１の制御部１６のファン特性認識手段１６１は、記憶部２５に記憶されるファン特性テーブル６０に基づいて、入力された音量レベル情報の音量レベル以下となる騒音レベルを騒音レベル情報に記録したファン特性情報６１を認識する。また、これらの認識したファン特性情報６１から回転数が最大となるファン特性情報６１を選択し、理想ファン駆動情報として認識する（ステップＳ１０４）。
【００５７】
さらに、光源特性認識手段１６２は、記憶部２５に記憶される光源特性テーブル７０に基づいて、入力された目標輝度レベル情報の輝度レベルと同一値（または最も近似する値）となる輝度レベルを輝度レベル情報７４に記録した光源特性情報７１を、理想光源出力情報として認識する（ステップＳ１０５）。
【００５８】
そして、制御部１６の比較判断手段１６３は、ステップＳ１０４およびステップＳ１０５にて認識された理想ファン駆動情報の冷却能情報６５と、理想光源出力情報の昇温情報７５とを比較し、前記先読み時間におけるこれら冷却能情報６５および昇温情報７５の大小関係を判断する。具体的には、比較判断手段１６３は、先読み時間内において、冷却能情報６５に記録される冷却可能温度が昇温情報７５に記録される昇温温度よりも大きいか否かを判断する（ステップＳ１０６）。
【００５９】
そして、このステップＳ１０６において、比較判断手段１６３により冷却能情報６５に記録される冷却可能温度が昇温情報７５に記録される上昇温度よりも大きいと判断された場合、ファン制御信号生成手段１６４は、理想ファン駆動情報に対応する回転数のファン制御信号を生成する（ステップＳ１０７）。また、光源制御信号生成手段１６５は、理想光源出力情報に応じた光源制御信号を生成する（ステップＳ１０８）。
【００６０】
一方、ステップＳ１０６において、比較判断手段１６３は、先読み時間内に冷却可能温度が昇温情報７５に記録される上昇温度よりも小さい期間があると判断した場合、さらに、この期間が予め設定された所定時間以上であるか否かを判断する（ステップＳ１０９）。
このステップＳ１０９において、比較判断手段により、冷却可能温度が昇温情報７５に記録される上昇温度よりも小さい期間が所定時間より短いと判断され場合、ファン制御信号生成手段１６４はステップＳ１０７の処理を実施し、光源制御信号生成手段１６５はステップＳ１０８の処理を実施する。
【００６１】
また、ステップＳ１０９において、比較判断手段により、冷却可能温度が昇温情報７５に記録される上昇温度よりも小さい期間が所定時間より長いと判断された場合、ファン制御信号生成手段１６４および光源制御信号生成手段１６５は、次の処理を実施する。
すなわち、ファン制御信号生成手段１６４は、理想ファン駆動情報の回転数から徐々に冷却ファン２３の回転数を上昇させる旨のファン制御信号を生成する（ステップＳ１１０）。この時、ファン制御信号生成手段１６４は、冷却ファン２３の冷却可能温度が光源ランプ２１Ａによる外装ケース１１内部の上昇温度よりも大きくなる時点まで、冷却ファン２３の回転数を徐々に上昇させる旨のファン制御信号を生成する。
【００６２】
また、光源制御信号生成手段１６５は、理想光源出力情報の出力から徐々に光源ランプ２１Ａの出力を低下させる旨の光源制御信号を生成する（ステップＳ１１１）。この時、光源制御信号生成手段１６５は、冷却ファン２３の冷却可能温度が光源ランプ２１Ａによる外装ケース１１内部の上昇温度よりも大きくなる時点まで、光源ランプ２１Ａの出力を徐々に低下させる旨の光源制御信号を生成する。
【００６３】
この後、制御部１６の再生制御手段１６６は、音声解析回路１４および映像解析回路１５から入力される音声情報および映像情報を、タイムスタンプ情報に基づいて同期させて音声入力回路１７および映像再生回路２０に出力する（ステップＳ１１２）。
これにより、音声情報は、音声入力回路１７を介して音声再生用アンプ回路１８に入力されて、所定の増幅率で増幅された後、音声がスピーカ３から再生される。また、映像情報は、映像入力回路１９を介して映像再生回路２０に入力される。この映像再生回路２０は、映像情報に応じて光学エンジン２１の液晶パネル２１Ｂを制御し、投射レンズ２１Ｃから射出された画像光が投射面４に投射され、映像が再生される。
【００６４】
また、ファン制御回路２２は、制御部１６から入力されるファン制御信号に基づいて、ステップＳ１１２の音声および映像の再生処理と同期させて冷却ファン２３の駆動状態を制御する。
同様に、光量調整回路２４は、制御部１６から入力される光源制御信号に基づいて、ステップＳ１１２の音声および映像の再生処理と同期させて、光源ランプ２１Ａの出力状態を制御する（ステップＳ１１３）。
【００６５】
なお、上記において、再生開始時点から所定の再生時間後までの先読み時間における処理内容を説明したが、その後の再生動作時にも同様の動作を実施する。すなわち、入力部１２から音声解析回路１４および映像解析回路１５には、順次通常の再生速度に同期してコンテンツ情報が入力される。音声解析回路１４および映像解析回路１５は、これら入力されたコンテンツ情報の音量レベルおよび輝度レベルを解析し、順次制御部１６に出力する。これにより、制御部１６には、コンテンツの再生中、先読み時間と同一時間分のコンテンツ情報が蓄積されることになり、所定の再生時間後までの音量レベルおよび輝度レベルによりファン制御信号および映像制御信号を生成することが可能となる。
【００６６】
〔プロジェクタの作用効果〕
上述したように、上記プロジェクタ１では、音声解析回路１４により、再生開始時点から所定の再生時間後までのコンテンツ情報の音声情報の音量レベルを解析し、ファン制御信号生成手段および光源制御信号生成手段は、それぞれこの音量レベルに応じたファン制御信号および光源制御信号を生成する。そして、ファン制御回路２２および光量調整回路２４は、それぞれこれらのファン制御信号および光源制御信号に基づいて、冷却ファン２３および光源ランプ２１Ａを制御する。
このため、ファン制御信号生成手段１６４および光源制御信号生成手段１６５は、所定の再生時間後までの冷却ファン２３の駆動状態および光源ランプ２１Ａの出力状態を設定することができる。したがって、冷却ファン２３の駆動状態の変化や光源ランプ２１Ａの出力状態を、音量レベルの変化に応じて設定することができる。したがって、危険防止のために突然冷却ファン２３の回転数を上げたり、光源ランプ２１Ａの出力を低下させたりすることがなく、視聴者に不快感を与えない良好な冷却ファン２３の制御、光源ランプ２１Ａの制御を実施できる。
【００６７】
また、映像解析回路１５は、コンテンツ情報の映像情報から輝度レベルを解析する。そして、ファン制御信号生成手段および光源制御信号生成手段は、音量レベルおよび映像レベルに応じたファン制御信号および光源制御信号を生成する。
このため、音量レベルおよび映像の輝度レベルの双方に基づいて、冷却ファン２３の駆動状態や光源ランプ２１Ａの出力状態を制御するため、より確実に外装ケース１１内部の温度上昇、すなわちプロジェクタ１の温度上昇を防止することができる。したがって、温度の上昇による画質の低下などの問題をより確実に防止することができ、良好な画像表示を維持することができる。
【００６８】
さらに、プロジェクタ１は、記憶部２５に冷却ファン２３の駆動特性に関するファン特性情報６１および光源ランプ２１Ａの駆動特性に関する光源特性情報７１を備えている。そして、ファン制御信号生成手段１６４および光源制御信号生成手段１６５は、これらのファン特性情報６１および光源特性情報７１に基づいて、解析された音量レベル情報および輝度レベル情報に最適なファン制御信号および光源制御信号を生成している。
このため、ファン制御信号生成手段１６４は、冷却ファン２３の特性に基づいて、音量レベルや輝度レベルに対応した正確な駆動状態を設定したファン制御信号を生成することができる。同様にして、光源制御信号生成手段１６５は、光源ランプ２１Ａの特性に基づいて、音量レベルや輝度レベルに対応した正確な出力状態を設定した光源制御信号を生成することができる。したがって、冷却ファン２３の駆動状態や光源ランプ２１Ａの出力状態を、コンテンツの音量や映像に応じてより最適に設定することができる。
【００６９】
また、ファン特性認識手段１６１は、音声解析回路１４にて解析された音量レベルに対応したファン特性情報６１を理想ファン駆動情報として認識し、光源特性認識手段１６２は、映像解析回路１５にて解析された輝度レベルに対応した光源特性情報７１を理想光源出力情報として認識する。そして、比較判断手段１６３により、先読み時間内において所定時間以上、理想ファン駆動情報の冷却能情報６５の冷却可能温度が、理想光源出力情報の昇温情報７５の上昇温度よりも大きい場合、ファン制御信号生成手段１６４は、理想ファン駆動情報の回転数情報６３の回転数で冷却ファン２３を駆動させる旨のファン制御信号を生成する。また、光源制御信号生成手段１６５は、理想光源出力情報の出力情報７３の出力で光源ランプ２１Ａを駆動させる旨の光源制御信号を生成する。
このため、冷却ファン２３の回転数を、コンテンツの音量を阻害しない最高回転数に設定することができるため、視聴者に不快感を与えず、かつプロジェクタ１を良好に冷却することができる。また、光源ランプ２１Ａの出力を、映像情報に即した輝度レベルで映像を表示可能な出力に設定するため、コンテンツ情報の映像情報に即した映像を正確に表示させることができる。
【００７０】
さらに、比較判断手段１６３により、先読み時間内において、冷却能情報６５に記録される冷却可能温度が昇温情報７５に記録される上昇温度よりも小さい期間が所定時間以上連続すると判断された場合では、ファン制御信号生成手段１６４および光源制御信号生成手段１６５は、次の処理をする。すなわち、ファン制御信号生成手段１６４は、理想ファン駆動情報の回転数から徐々に冷却ファン２３の回転数を上昇させる旨のファン制御信号を生成する。また、光源制御信号生成手段１６５は、理想光源出力情報の出力から徐々に光源ランプ２１Ａの出力を低下させる旨の光源制御信号を生成する。
このため、視聴者が不快を感じないように、冷却ファン２３の回転数を上げることができ、かつ、冷却ファン２３の冷却能を高めてプロジェクタ１を冷却することができる。また、視聴者が不快を感じないように、光源ランプ２１Ａの出力を下げて表示映像の輝度レベルを下げることができ、かつ出力の低下により光源ランプ２１Ａから発生する発熱量を抑えることができ、プロジェクタ１の温度上昇を抑えることができる。したがって、温度上昇に伴う画像の劣化やプロジェクタ１の動作不良などを防止することができる。
【００７１】
この時、ファン制御信号生成手段１６４は、冷却ファン２３の冷却可能温度が光源ランプ２１Ａによる外装ケース１１内部の上昇温度よりも大きくなる時点まで、冷却ファン２３の回転数を徐々に上昇させる旨のファン制御信号を生成する。また、光源制御信号生成手段１６５は、冷却ファン２３の冷却可能温度が光源ランプ２１Ａによる外装ケース１１内部の上昇温度よりも大きくなる時点まで、光源ランプ２１Ａの出力を徐々に低下させる旨の光源制御信号を生成する。
このため、プロジェクタ１の温度が冷却ファン２３により冷却可能な温度になると、冷却ファン２３の回転数を例えば一定に維持するなどして、回転数の上昇を停止させ、冷却ファン２３の回転による騒音を最小限に抑えることができる。同様に、プロジェクタ１の温度が冷却ファン２３により冷却可能な温度になると、光源ランプ２１Ａの出力を一定に維持するなどして、出力低下を停止させ、輝度レベルの低下を抑えることができ、過度の画質低下を防止することができる。
【００７２】
〔他の実施の形態〕
なお、本発明は前述の実施形態に限定されるものではなく、本発明の目的を達成できる範囲での変形、改良等は本発明に含まれるものである。
【００７３】
例えば、上記実施の形態では、コンテンツ情報が入力される度に、ファン制御信号および光源制御信号を生成する構成を示したが、これに限定されない。
すなわち、制御部１６は、コンテンツ情報が入力部１１からデコーダ１２に入力されると、制御部１６は、記憶部２５に記録される駆動設定テーブル８０から、入力されたコンテンツ情報のコンテンツ識別情報と一致するコンテンツ識別情報８２を有する駆動設定情報８１があるか否かを判断する記録判断手段を備える構成としてもよい。
この場合、この記録判断手段により、デコーダ１２に入力されたコンテンツ情報に対応するコンテンツ識別情報８２を有する駆動設定情報８１があると判断されると、再生制御手段１６６は、この駆動設定情報８１に記録されるファン制御情報８２のファン制御信号をファン制御回路２２に出力し、光源制御情報８３の光源制御信号を光量調整回路２４に出力する。この時、ファン特性認識手段１６１、光源特性認識手段１６２、比較判断手段１６３、ファン制御信号生成手段１６４、および光源制御信号生成手段１６５は、特に処理を実施しない。
一方、記録判断手段により、デコーダ１２に入力されたコンテンツ情報に対応するコンテンツ識別情報８２を有する駆動設定情報８１がないと判断されると、上記実施の形態におけるステップＳ１０１ないしステップＳ１１３の処理を実施する。
このような構成にすると、例えばシアタなど、予め決められたコンテンツ情報を略同一視聴環境（例えば、同一視聴空間、同一音量）で繰り返し再生する際に、毎回音量レベルおよび輝度レベルを解析し、ファン制御信号や光源制御信号を生成する必要がない。したがって、プロジェクタ１の処理効率をより向上させることができ、省電力化にも貢献できる。
【００７４】
また、冷却ファン２３として、外装ケース１１の内部を冷却する１つのファンを例示したが、これに限定されず、前記したように、複数の冷却ファン２３が設けられる構成としてもよい。例えば、光源ランプ２１Ａや液晶パネル２１Ｂなどの光学エンジン２１の内部の光学部品を冷却するエンジン冷却ファン、各回路を冷却する内部ファン、制御部１６などを構成するＣＰＵ（Central Processing Unit）を冷却するＣＰＵファンなどが設けられ、これらのファンのそれぞれの回転数を制御する構成としてもよい。この場合、記憶部２５には、各ファンのファン特性に関するファン特性情報６１が記録され、ファン制御信号生成手段１６４は、このファン特性情報６１に基づいて、それぞれのファンに対して、個別にファン制御信号を出力する。これにより、各ファンの回転数に対する騒音や冷却能が異なる場合でも、各ファンに対して適切に駆動状態を制御することができる。また、各冷却ファンとして、同一性能のファンを用いることにより、１つのファン制御信号で全部または複数の冷却ファンを駆動する構成としてもよい。
【００７５】
さらに、ファン特性情報６１がファン特性テーブルに複数記録され、これらのファン特性情報６１のいずれか１つに設定を切り替える構成を示したが、これに限定されない。例えば、記憶部２５に、冷却ファン２３の回転数情報６３と騒音レベル情報６４との関係、回転数情報６３と冷却能情報６５との関係が、グラフ形式または数式により記録されているものであってもよい。この場合、冷却ファン２３の回転数を連続的に切り替えるファン制御信号をより正確にかつ容易に生成することができ、より適切な冷却ファンの駆動制御を実施することができる。
【００７６】
さらには、比較判断手段１６３は、先読み時間内において、冷却能情報６５に記録される冷却可能温度が昇温情報７５に記録される上昇温度よりも小さい期間が所定時間以上連続すると判断した場合、理想ファン駆動情報の冷却能情報６５に記録される冷却可能温度と、理想光源出力情報の昇温情報７５に記録される上昇温度との間の任意の温度、例えば冷却可能温度および上昇温度の中間温度を目標温度として設定する構成としてもよい。
この構成では、ファン制御信号生成手段１６４は、ファン特性テーブル６０からこの目標温度に対応する冷却能情報６５を有するファン特性情報を目標ファン駆動情報として認識する。そして、ファン制御信号生成手段１６４は、冷却ファン２３の回転数を、理想ファン駆動情報の回転数情報に記録された回転数から、目標ファン駆動情報の回転数情報６３に記録された回転数まで、徐々に回転数を上昇させる旨のファン制御信号を生成する。
同様にして、光源制御信号生成手段１６５は、光源特性テーブル７０からこの目標温度に対応する昇温情報７５を有する光源特性情報を目標出力情報として認識する。そして、光源制御信号生成手段１６５は、光源ランプ２１Ａの出力を、理想光源出力情報の出力情報７３に記録された出力から、目標出力情報の出力情報７３に記録された出力まで、徐々に出力を低下させる旨の光源制御信号を生成する。
このような構成では、最終的に冷却ファン２３にて冷却可能な温度と、光源ランプ２１Ａの発熱により上昇温度とを略一致させることができるため、冷却ファン２３の騒音および表示画像の輝度低下を最低限に抑えるファン制御信号および光源制御信号をより容易に設定することができる。
【００７７】
また、比較判断手段１６３は、先読み時間内において、冷却能情報６５に記録される冷却可能温度が昇温情報７５に記録される上昇温度よりも小さい期間が連続すると判断した場合、理想ファン駆動情報の回転数で冷却ファン２３を駆動させ、理想光源出力情報の出力で光源ランプ２１Ａを出力させた状態で、外装ケース１１の内部が所定の危険温度に達するまでの限界時間を演算する構成としてもよい。この場合、比較判断手段１６３は、冷却能情報６５に記録される冷却可能温度が昇温情報７５に記録される上昇温度よりも小さい期間が、この演算された限界温度よりも長いと判断した場合に、上記実施の形態におけるステップＳ１１０およびステップＳ１１１の処理を実施する。
この構成では、外装ケース１１の内部が危険温度に達するおそれがある場合のみ、冷却ファン２３の回転数を徐々に上げ、光源ランプ２１Ａの出力を徐々に下げる制御を実施できる。したがって、危険がないと判断される場合には、冷却ファン２３の騒音を音量レベル以下に設定でき、目標輝度レベルを満たした良好な映像を投射面４に表示させることができる。
【００７８】
そして、上記実施の形態において、ファン特性情報６１および光源特性情報７１を用いて、音量レベルおよび輝度レベルに対応する理想ファン駆動情報および理想光源出力情報を認識し、これらの理想ファン駆動情報および理想光源出力情報に基づいて冷却ファン２３および光源ランプ２１Ａの駆動状態を設定したが、これに限らない。
例えば、ファン制御信号生成手段１６４は、音声解析回路１４にて解析される音量レベルが所定の閾値よりも低い状態が所定時間以上続くと判断される場合、または所定の閾値以上の輝度レベルの映像が所定時間以上続くと判断される場合、冷却ファン２３の回転数を徐々に上げるファン制御信号を生成する構成としてもよい。同様に、光源制御信号生成手段１６５も、音声解析回路１４にて解析される音量レベルが所定の閾値よりも低い状態が所定時間以上続くと判断される場合、または所定の閾値以上の輝度レベルの映像が所定時間以上続くと判断される場合、光源ランプ２１Ａの出力を徐々に低下させる光源制御信号を生成する構成としてもよい。このような構成では、ファン特性情報６１および光源特性情報７１を用いた制御に比べて、正確なファン駆動制御および光源ランプ駆動制御が実施できないが、プロジェクタ１の構成をより簡単にすることができ、より迅速な処理が可能となる。
【００７９】
また、映像情報の輝度レベルを解析し、音量レベルおよび輝度レベルに応じて冷却ファン２３および光源ランプ２１Ａの駆動を制御したが、例えば音量レベルの変化のみで冷却ファン２３および光源ランプ２１Ａの駆動を制御する構成としてもよい。
【００８０】
さらに、上記実施の形態では、音声解析手段として音声解析回路１４、映像解析手段として映像解析回路１５を用いたが、例えば、入力された音声情報および映像情報から音量レベル、輝度レベルを解析する解析プログラムを用いる構成などとしてもよい。さらに、ファン特性認識手段１６１、光源特性認識手段１６２、比較判断手段１６３、ファン制御信号生成手段１６４、および光源制御信号生成手段１６５を、制御部１６により展開されるプログラムとして機能させる構成を例示したが、集積回路などのハードウエアとして構成するものであってもよい。
【００８１】
その他、本発明の実施の際の具体的な構造および手順は、本発明の目的を達成できる範囲で他の構造などに適宜変更できる。
【図面の簡単な説明】
【００８２】
【図１】本発明の一実施の形態に係るプロジェクタの構成を示すブロック図である。
【図２】前記実施の形態のプロジェクタを構成する光学エンジンの概略構成を示すブロック図である。
【図３】前記プロジェクタを構成する記憶部に記憶されるファン特性情報を示す図である。
【図４】前記プロジェクタを構成する記憶部に記憶される光源特性情報を示す図である。
【図５】前記プロジェクタを構成する記憶部に記憶される駆動設定情報を示す図である。
【図６】前記実施の形態のプロジェクタを構成する制御部の概略構成を示すブロック図である。
【図７】前記実施の形態のプロジェクタのコンテンツ再生動作における冷却ファンおよび光源ランプの駆動処理のフローチャートである。
【符号の説明】
【００８３】
１…プロジェクタ、１１…筐体としての外装ケース、１２…コンテンツ認識手段としての入力部、１３…音声解析手段としての音声解析回路、１４…映像解析手段としての映像解析回路、２１Ａ…光源としての光源ランプ、２１Ｂ…光変調手段としての液晶パネル、２１Ｃ…投射手段としての投射レンズ、２１…ファン駆動制御手段としてのファン制御回路、２２…冷却ファン、２３…光源出力制御手段としての光量調整回路、２４…記憶手段および設定情報記録手段としても機能する記憶部、６１…ファン特性情報、６４…ファン騒音情報としての騒音レベル情報、６５…冷却能情報、７１…光源特性情報、７３…出力情報、７５…熱情報としての昇温情報、１６３…比較判断手段、１６４…ファン駆動設定手段としてのファン制御信号生成手段、１６５…光源出力設定手段としての光源制御信号生成手段。
【図１】
2009053476.tif 000003
【図２】
2009053476.tif 000004
【図３】
2009053476.tif 000005
【図４】
2009053476.tif 000006
【図５】
2009053476.tif 000007
【図６】
2009053476.tif 000008
【図７】
2009053476.tif 000009